(57)【特許請求の範囲】
【請求項１】
入力画面を表示する表示機能と、入力画面をペンまたは指で押さえることで入力面上の位置を座標データとして入力する座標入力機能を備えた座標入力装置において、
前記入力面上に対するペンまたは指による押圧入力、並びに、入力面上の入力座標を検出する座標検出手段と、
入力画面上に第１の操作機能を定義した第１領域、第２の操作機能を定義した第２領域、および、アイコン等の操作子を定義した第３領域を設定する画面設定手段と、
前記座標検出手段による検出にて、前記入力画面上の第１領域または第２領域に対する押圧入力と第３領域に対する押圧入力とを同時に検出した時、第１領域と同時検出の場合は第１領域が操作されたことを識別するための情報を含む第３領域座標データを出力し、第２領域と同時検出の場合は第２領域が操作されたことを識別するための情報を含む第３領域座標データを出力する制御手段とを備えたことを特徴とする座標入力装置。
【請求項２】
前記第１領域にマウスのダブルクリック機能が設定され、前記第２領域にマウスの右ボタンクリック機能が設定されることを特徴とする請求項１に記載の座標入力装置。
【請求項３】
前記入力画面上の前記第１領域および前記第２領域が任意に定義可能に設けられていることを特徴とする請求項１に記載の座標入力装置。
【請求項４】
表示された入力画面をペンまたは指で押さえることで入力面上の位置を座標データとして入力する座標入力手段と、前記入力面上に対するペンまたは指による押圧入力、並びに、入力面上の入力座標を検出する座標検出手段とを備えた座標入力装置の座標入力方法であって、
入力画面上に第１の操作機能を定義した第１領域、第２の操作機能を定義した第２領域、および、アイコン等の操作子を定義した第３領域を設定し、
前記座標検出手段による検出にて、前記入力画面上の第１領域または第２領域に対する押圧入力と第３領域に対する押圧入力とが同時に検出されたかを判定するステップと、
前記判定ステップにて同時入力と判定した場合に、第３領域と同時に検出している領域が第１領域である場合には第１領域が操作されたことを識別するための情報を含む第３領域座標データを出力するステップと、
前記判定ステップにて同時入力と判定した場合に、第３領域と同時に検出している領域が第２領域である場合には第２領域が操作されたことを識別するための情報を含む第３領域座標データを出力するステップと、を含むことを特徴とする座標入力方法。
【発明の詳細な説明】
【０００１】
【発明の属する技術分野】
本発明は、ＬＣＤ等を表示手段とし、その上に配置された感圧方式のタブレットを入力手段としたタブレット一体型のものにおいて、ペンまたは指で入力面（タブレット面）を押さえることで、ペンまたは指で入力された入力面上の位置座標を検出する座標入力装置および座標入力方法に関する。
【０００２】
【従来の技術】
ＬＣＤ等の表示装置の上に透明タブレットを配置し、その上を指またはペンで押圧操作することで、表示されたボタンやアイコン等の入力を行う操作は、マウスの操作とは異なり、入力画面と操作ポイントとが一致することから、操作性の面で優れている。そのため、このようなＬＣＤ等の表示装置の上に透明タブレットを配置した表示ユニットは、ペンＰＣなどですでに周知技術となっている。また、これに用いられる透明タブレットとしては感圧方式のものが、構造が簡単で安価であることから多く用いられている。
【０００３】
感圧式タブレットは、従来からよく知られている周知の技術であり、この従来技術を図７ないし図１０を参照して説明する。ただし、図７は感圧式タブレットを接続した座標検出装置のブロック図、図８は感圧式タブレットの断面図、図９はＰ点で接触した場合の抵抗膜の概念を示す説明図、図１０は座標検出の際の概念図である。
【０００４】
この感圧式タブレット１０１は、周知の如く、２枚の抵抗膜シートＴＸ，ＴＹとスペース部材ｍとを備えている（図８参照）。このうち、抵抗膜シートＴＸは第１抵抗膜シートであり、相対する端辺（ここでは上下の端辺）に対になった電極Ｘ１，Ｘ２が設けられている。また、抵抗膜シートＴＹは第２抵抗膜シートであり、相対する端辺（ここでは左右の端辺）に対になった電極Ｙ１，Ｙ２が設けられている。
【０００５】
スペース部材ｍは、この感圧式タブレット１０１が非押圧時には、抵抗膜シート（以下、第１抵抗膜シートという）ＴＸと抵抗膜シート（以下、第２抵抗膜シートという）ＴＹとを電気的に非接触に保つとともに、押圧時には、この押圧された部分の第１抵抗膜シートＴＸと第２抵抗膜シートＴＹとを電気的に接続するように設けられている。
【０００６】
そして、共通端子が電源に接続された第１切り換え回路２０１の一方の端子Ｓ１に電極Ｘ１が接続され、他方の端子Ｓ２に電極Ｙ１が接続されている。また、端子Ｓ１はＡ／Ｄ変換器２０３のｘ１入力に接続され、端子Ｓ２はＡ／Ｄ変換器２０３のｙ１入力に接続されている。
【０００７】
また、共通端子がアース電位に接続された第２切り換え回路２０２の一方の端子Ｓ３に電極Ｘ２が接続され、他方の端子Ｓ４に電極Ｙ２が接続されている。また、端子Ｓ３はＡ／Ｄ変換器２０３のＸ２入力に接続され、端子Ｓ４はＡ／Ｄ変換器２０３のＹ２入力に接続されている。そして、Ａ／Ｄ変換器２０３のデジタル出力がタブレット制御マイコン３０１に接続され、ここでデジタル処理されて図示しないホストコンピュータに出力されるようになっている。
【０００８】
このような感圧式タブレット１０１を用いた座標検出装置における座標位置検出の手順を以下に説明する。
【０００９】
まず、第１切り替え回路２０１を端子Ｓ１に接続して電極Ｘ１と接続し、第２切り替え回路２０２を端子Ｓ３に接続して電極Ｘ２に接続することで、第１抵抗膜シートＴＸの２つの電極Ｘ１，Ｘ２間に電圧を印加する。このとき、第２抵抗膜シートＴＹの２つの電極Ｙ１，Ｙ２間はハイインピーダンス状態となる。この状態で、第１抵抗膜シートＴＸ上のＰ点（図９および図１０参照）が押圧されると、第１抵抗膜シートＴＸと第２抵抗膜シートＴＹとがＰ点で電気的に接続される。その結果、第１抵抗膜シートＴＸ上で押圧されたＰ点のポイント座標は、電極Ｙ１，Ｙ２の電圧と、押圧されたポイント（Ｐ点）の抵抗比Ｒｘ１，Ｒｘ２とから計算できる。
【００１０】
次に、第１切り替え回路２０１を端子Ｓ２に接続して電極Ｙ１と接続し、第２切り替え回路２０２を端子Ｓ４に接続して電極Ｙ２に接続することで、第２抵抗膜シートＴＹの２つの電極Ｙ１，Ｙ２間に電圧を印加する。このとき、第１抵抗膜シートＴＸの２つの電極Ｘ１，Ｘ２間はハイインピーダンス状態となる。この状態で、２１抵抗膜シートＴＹ上のＰ点が押圧されているので、第１抵抗膜シートＴＸと第２抵抗膜シートＴＹとがＰ点で電気的に接続される。その結果、第１抵抗膜シートＴＸ上で押圧されたＰ点のポイント座標は、電極Ｘ１，Ｘ２の電圧と、押圧されたポイント（Ｐ点）の抵抗比Ｒｙ１，Ｒｙ２とから計算できる。
【００１１】
これらの電極Ｘ１，Ｘ２，Ｙ１，Ｙ２で測定できる電圧は、Ａ／Ｄ変換器２０１に入力され、ここでデジタル値に変換された後、タブレット制御マイコン３０１により座標値に変換される。そして、この座標に変換されたデータはホストコンピュータに伝送される。
【００１２】
上記で説明した座標位置検出は、抵抗膜シート上を１ポイントのみ押圧した場合である。
【００１３】
次に、２ポイントＰ１，Ｐ２を同時に押した場合の座標位置検出について説明する。図１１は、２ポイントＰ１，Ｐ２を同時に押した場合の２つの抵抗膜シート（第１抵抗膜シートＴＸ，第２抵抗膜シートＴＹ）の状態を示している。また、Ｐ１，Ｐ２の２ポイントで接触した場合の抵抗膜の概念を図１２に示す。
【００１４】
このとき押された２つのポイントＰ１，Ｐ２間の抵抗Ｒｘｗ，Ｒｙｗは並列になるため、１ポイントのみ押圧された場合と比較して、電極Ｘ１，Ｘ２間および電極Ｙ１，Ｙ２間共に抵抗値を減少する。従って、この減少を利用し、電極Ｘ１，Ｘ２間および電極Ｙ１，Ｙ２間のインピーダンスまたは電流を測定することにより、２つのポイントＰ１，Ｐ２が同時に押されていることを検出することができる。この検出手法は、公知の技術である特開平７−３１９６０８号公報や特開平６−９５７９１号公報に開示されている。
【００１５】
さらに、２つのポイントを同時に入力した場合の座標検出に関しては、検出座標の精度を要求されない場合として、特開平６−９５７９１号公報で提案されている座標検出装置がある。
【００１６】
この座標検出装置では、図１２に示したように、２つのポイントＰ１，Ｐ２が同時に押圧された場合には、第１抵抗膜シートＴＸ上の座標、すなわちＸ軸座標は、第２抵抗膜シートＴＹのＶＸＡ，ＶＸＢの２点の電圧を検出し、このときの第１抵抗膜シートＴＸに流れる電流と前記の検出電圧とに基づいて、第２抵抗膜シートＴＹの電極Ｙ１，Ｙ２からの抵抗値Ｒｘ１，Ｒｘ２を計算し、この抵抗値Ｒｘ１，Ｒｘ２から位置を検出するものである。Ｙ軸方向の座標に関しても、印加する電圧を第２抵抗膜シートＴＹに切り換えて、上記Ｘ軸の場合と同様に、第２抵抗膜シートＴＹに流れる電流と第１抵抗膜シートＴＸの電極Ｘ１，Ｘ２の２点の検出電圧とに基づいて、第１抵抗膜シートＴＸの電極Ｘ１，Ｘ２からの抵抗値を計算し、この抵抗値から位置を検出するものである。
【００１７】
このような座標検出においては、手つきの場合、広い面積が押圧されるため、算出されるペンまたは指の位置は精度が欠けることは当該公報にも記載されている。しかしながら、Ｘ軸方向およびＹ軸方向に２つのポイント（範囲）が重ならないかぎり、指と指、ペンと指の組み合わせにおいては２つのポイントＰ１，Ｐ２を同時に入力しても、位置座標の検出は可能である。
【００１８】
また、画面上に透明タブレットを配置した構造であって、画面にソフトウエアキーボードを表示し、通常のキーボードを押す代わりに画面上の表示されたソフトウエアキーボードの該当する個所を押圧することで、キーボード入力と同じ機能を実現するシステムにおいて、例えば最初にＣｔｒｌキーを押した状態で他のキーを押すことを可能とした方式に関しては、特開平９−３４６２５号および特開平８−３２８７２５号公報に提案されている。
【００１９】
この公報の方式では、まず画面上にキーの配列を表示する必要がある。そして、この表示されたキー配列（ソフトウエアキーボード）のうち、まず１つのキー、例えばＣｔｒｌキーを押し、そのキーを押したままの状態で、次のキー、例えば「Ａ」を押すと、キーボードにて「Ｃｔｒｌ＋Ａ」を押した場合と同じコードをタブレット制御マイコンからホスト装置へ送るようになっている。そして、座標位置検出の方式については、まず最初に押されたキーに該当する座標を、用意されている記憶装置（ＲＡＭ）に記憶しておき、そのキーを押したまま他のキー、例えば「Ａ」を押したとき、２点入力であることを抵抗膜シートに流れる電流値またはシートの抵抗値の変化により検出する。そして、２点入力を検出した場合には、後から押されたキーに該当する座標を、最初に押された記憶装置（ＲＡＭ）に格納された座標と、２点入力によって検出された抵抗膜シートの電圧値とから算出した座標値から、所定の計算式により算出することが提案されている。これは、画面上に表示されたソフトウエアキーボードに関する提案である。
【００２０】
一方、透明タブレットを表示装置の上に配置した構造の機器において、マウスの右ボタン押圧に該当する操作を透明タブレット上の操作だけで実現する方法も特開平１０−４０００９号公報にて提案されている。
【００２１】
この公報の方式では、画面上にペンまたは指の押圧がマウスの右ボタン押圧に該当することに機能を切り換えるための機能切り換え領域を表示することが前提となっている。そして、まずペンまたは指でオペレータが右ボタン機能を実現したい領域にカーソルを移動させ、その後、表示されている右ボタン機能切り換え領域にペンまたは指で押圧することで、マウスの右ボタンスイッチの代替えを実現するものである。または、これとは手順を逆とし、右ボタン機能切り換え領域を押圧した後に、次の指またはペンでの入力が右ボタン機能を実現する機能であることをシステムに明示した後、オペレータが右ボタン機能を実現したい領域を押圧し、右ボタン機能を実現するものである。
【００２２】
マウスの右ボタンに対応する機能を実現するためには、オペレータがまず、（１）操作すべきアイコン等の領域をペンまたは指でタップし、カーソルをその位置に移動させる。その後、（２）画面に表示されている右ボタン機能切り換え領域をタップすることで、マウスの右ボタンを押圧したのと同じ機能を実現する。ただし、上記（１）、（２）の順序が逆でもよく、この場合でも２回の指またはペンの移動操作が必要なことは共通である。すなわち、マウスの場合は、操作すべきアイコン等の領域にカーソルを移動させ、マウスの右ボタンを押圧するという１回の操作に対し、上記公報の方式の場合は、２回の指またはペンの移動操作が必要となる。また、機能切り換え領域を常に表示することが必要であるため、アプリケーションに対する画面表示上での制約となる。
【００２３】
【発明が解決しようとする課題】
このように、感圧式タブレットを用いたタブレット一体型機器において、マウスのダブルクリックに該当する操作は、画面上の近接した領域を所定時間以内に２度押圧しなければならず、初心者には容易ではなかった。特に、ペンでの操作の場合はタブレット表面でペン先がすべるため、近接した領域を連続して２度押圧することは容易ではないといった問題があった。
【００２４】
また、感圧式タブレットを用いた表示一体型機器において、マウスの右ボタンに該当する操作は、ホストコンピュータに別にボタンを設け、それを押しながら指またはペンでアイコン等の操作したい領域を押圧するといった操作であるため、ホストコンピュータ側にボタンを設ける必要があり、機構的な付属物が追加となり、かつオペレータには画面とは別のボタン配置場所に目を移す必要があり操作が煩雑となるといった問題があった。
【００２５】
また、画面上に右ボタンへの機能切り換え領域を表示し、指またはペンで操作したいアイコン等の領域にカーソルを移動させた後、指またはペンで機能切り換え領域を押圧するという操作、またはこれとは逆に、指またはペンで機能切り換え領域を押圧した後、指またはペンで操作したいアイコン等の領域にカーソルを移動させ、その領域を押圧するという操作のいずれかを行う必要があり、マウスの場合と比較して操作が煩雑となり、特に初心者には扱いづらいものとなっているといった問題があった。
【００２６】
本発明は係る問題点を解決すべく創案されたもので、その目的は、指またはペンによるカーソル移動を１回の移動のみで、マウスの右ボタンの機能を実現し、かつ初心者には操作が困難な指またはペンによるマウスのダブルクリックに対応する操作も容易に実現できる座標入力装置および座標入力方法を提供することにある。
【００２７】
【課題を解決するための手段】
上記目的を達成するため、本発明の座標入力装置は、入力画面を表示する表示機能と、入力画面をペンまたは指で押さえることで入力面上の位置を座標データとして入力する座標入力機能を備えた座標入力装置において、前記入力面上に対するペンまたは指による押圧入力、並びに、入力面上の入力座標を検出する座標検出手段と、入力画面上に第１の操作機能を定義した第１領域、第２の操作機能を定義した第２領域、および、アイコン等の操作子を定義した第３領域を設定する画面設定手段と、前記座標検出手段による検出にて、前記入力画面上の第１領域または第２領域に対する押圧入力と第３領域に対する押圧入力とを同時に検出した時、第１領域と同時検出の場合は第１領域が操作されたことを識別するための情報を含む第３領域座標データを出力し、第２領域と同時検出の場合は第２領域が操作されたことを識別するための情報を含む第３領域座標データを出力する制御手段とを備えたことを特徴とする。より具体的には、前記第１の操作機能としてマウスのダブルクリック機能が設定され、前記第２操作機能としてマウスの右ボタンクリック機能が設定されている。また、本発明の座標入力方法は、表示された入力画面をペンまたは指で押さえることで入力面上の位置を座標データとして入力する座標入力手段と、前記入力面上に対するペンまたは指による押圧入力、並びに、入力面上の入力座標を検出する座標検出手段とを備えた座標入力装置の座標入力方法であって、入力画面上に第１の操作機能を定義した第１領域、第２の操作機能を定義した第２領域、および、アイコン等の操作子を定義した第３領域を設定し、前記座標検出手段による検出にて、前記入力画面上の第１領域または第２領域に対する押圧入力と第３領域に対する押圧入力とが同時に検出されたかを判定するステップと、前記判定ステップにて同時入力と判定した場合に、第３領域と同時に検出している領域が第１領域である場合には第１領域が操作されたことを識別するための情報を含む第３領域座標データを出力するステップと、前記判定ステップにて同時入力と判定した場合に、第３領域と同時に検出している領域が第２領域である場合には第２領域が操作されたことを識別するための情報を含む第３領域座標データを出力するステップと、を含むことを特徴とする。
【００２８】
このような特徴を有する本発明によれば、制御手段は、感圧式タブレット上のあらかじめ設定された第１領域（Ａ）を指で押すと、それがダブルクリック機能領域（Ａ）であることを判定し、その領域（Ａ）を押圧したまま、次の第３領域（Ｂ）を押圧すると、２点目の領域が押圧されたことを判定する。すなわち、２点入力を検知し、押圧された領域が（Ｂ）の領域であることを判定し、（Ｂ）の領域に対する機能（すなわち、マウスダブルクリックに対応する機能と同じ機能）を実行する。また、制御手段は、感圧式タブレット上のあらかじめ設定された第２領域（Ｃ）を指で押すと、それがマウス右ボタン機能領域（Ｃ）であることを判定し、その領域（Ｃ）を押圧したまま、次の第３領域（Ｂ）を押圧すると、２点目の領域が押圧されたことを判定する。すなわち、２点入力を検知し、押圧された領域が（Ｂ）の領域であることを判定し、（Ｂ）の領域に対する機能（すなわち、マウス右ボタンクリックに対応する機能と同じ機能）を実行する。
【００２９】
通常のペン操作時において、オペレータの誤操作の１つに手つきによる２点入力がある。従って、多重入力時と、通常操作時の手つきによる誤操作とを区別できなければ、誤動作の原因となる。そこで、本発明の座標入力装置は、上記構成において、押圧手段で最初に押された第１の領域と、次に押された第２の領域との距離を判定する距離判定手段をさらに備え、前記制御手段は、前記距離判定手段にて判定された距離が予め記憶されている一定の距離より近ければ手つき入力と判定して、その押圧入力を無視するように構成してもよい。
【００３０】
このような構成によれば、手つき入力が発生した場合には、その２点入力された２点の座標を算出し、その距離が一定の距離よりも近い場合には、手つきであると判定する。ここで、一定の距離は、上記の領域（Ａ）と領域（Ｂ）との距離、および領域（Ｃ）と領域（Ｂ）との距離と比較して小さい距離とし、これを判定のリファレンス距離として設定しておく。これにより、手つきの場合と２点入力の場合とを区別することができる。
【００３１】
また、本発明の座標入力装置は、上記構成において、前記制御手段は、押圧入力を無視したときには、報知手段から警報を発してオペレータに警告するように構成してもよい。すなわち、手つきであると判定した場合には、オペレータに対し誤動作であることを警告することで、装置の誤動作を防止することができる。
【００３２】
ところで、画面上に設定する第１領域（ダブルクリック機能領域（Ａ））や第２領域（右ボタン機能領域（Ｃ））を常に画面上の一定の位置に固定すると、アプリケーションですでにその領域を他のアイコン等で占有している可能性がある。そのため、各機能領域をユーザが変更可能な仕組みがなければ、他の機能アイコンとの関係で所定の操作が実現できない可能性がある。そこで、本発明の座標入力装置は、上記構成において、入力画面上の第１領域および第２領域が任意に定義可能に設けられていることを特徴とする。すなわち、ダブルクリック機能領域（Ａ）や右ボタン機能領域（Ｃ）をあらかじめ決められた一定領域だけでなく、オペレータおよび実行しているアプリケーションに対応して変更可能とする。これは、機能領域設定プログラムにより、オペレータが機能領域（Ａ）および（Ｃ）を所望の領域に所望のサイズで設定し、その領域およびサイズをタブレットを制御するタブレット制御マイコンに記憶させておく。そして、最初の１点目の座標入力があると、この記憶している領域と比較し確認して、機能領域（Ａ）または（Ｃ）であるかどうかを判定する。
【００３３】
このような特徴を有する本発明によれば、マウスの右ボタン機能またはマウスのダブルクリック機能の実現すべき機能領域をユーザが任意に設定できるので、他の機能アイコンと領域が重なった場合でも、これに対応することが可能となる。
【００３４】
なお、本発明の画像入力装置によれば、ボタンの追加のような機構的な追加もなく、また、タブレット一体型機器の外形を大きくするような制約も受けることがないといった利点がある。
【００３５】
【発明の実施の形態】
以下、本発明の実施の形態について、図面を参照して説明する。
【００３６】
ここでは、まずダブルクリック機能領域および右ボタン機能領域を用いて本発明の実施形態を説明し、その中で、手つき時に警告を発生する実施形態も併せて説明する。そして、最後に、ダブルクリック機能領域および右ボタン機能領域の設定をユーザであるオペレータが設定する方式について説明する。
【００３７】
図１は、本発明の座標入力装置を適用した感圧式のタブレット一体型機器の概略ブロック図を示している。
【００３８】
同図において、感圧式タブレット１は、ＬＣＤ等の表示装置２の上に配置されており、この感圧式タブレット１の出力はパネル出力切換器３（図７に示す第１切り換え回路２０１、第２切り換え回路２０２に相当）に接続され、Ｘ軸の電圧（Ｖｘ１，Ｖｘ２）、Ｙ軸の電圧（Ｖｙ１，Ｖｙ２）を順次Ａ／Ｄ変換器４に送出する。また、パネル出力切換器３は、感圧式タブレット１上が押圧されたことをタッチパネル入力検知信号５によりタブレット制御マイコン６に通知する。タブレット制御マイコン６は、動作を実行するＣＰＵ６１、動作内容を記憶したＲＯＭ６２、動作時にワーク領域およびデータの一時記憶領域として使用されるＲＡＭ６３を含んでいる。タブレット制御マイコン６は、ダブルクリック機能領域（Ａ）の判定および右ボタン機能領域（Ｃ）の判定を行う。
【００３９】
電流モニタ７は、感圧式タブレット１において２つのポイントが押圧されたとき、感圧式タブレット１の抵抗膜を流れる電流を検知し、その検知信号（電流値）をＣＰＵ６３に送出する。ＣＰＵ６３は、この検知信号（電流値）に基づいて２点入力の検知を行う。
【００４０】
感圧式タブレット１上を押圧された際のデータは、タブレットシリアルデータとしてコンピュータ本体８に伝送され、コンピュータ本体８は、受け取ったデータを解析することで、表示装置２上のアイコン等により決められた動作を実行する。また、コンピュータ本体８は、手つき等の誤操作をＣＰＵ６３が検知すると、オペレータに異常を知らせるため、ＬＥＤ６４に警告表示を行い、またスピーカ６５から警告音を発生するなどの処理を実行する。
【００４１】
なお、上記の説明では、タブレット制御マイコン６がダブルクリック機能領域（Ａ）の判定および右ボタン機能領域（Ｃ）の判定を行うように説明しているが、タブレット制御マイコン６は単にタブレットの座標、２点入力発生の有無および多重入力間の距離のみをコンピュータ本体８に送り、ダブルクリックまたは右ボタン押圧動作への切り換えはコンピュータ本体８側で行うように構成してもよい。
【００４２】
図４は、ダブルクリック機能領域（Ａ）および右ボタン機能領域（Ｃ）を設けた画面の表示例を示している。ここでは、ダブルクリック機能領域（Ａ）および右ボタン機能領域（Ｃ）は画面上に非表示としている（画面上に点線で示している）が、これらの領域（Ａ），（Ｃ）を色付けするなどして、視覚的に判別できるようにしてもよい。
【００４３】
図５は、タブレット制御マイコン６がダブルクリック機能領域（Ａ）を押圧された状態で、他の２ポイント目の領域を押圧されたときの感圧式タブレット１上の座標データ、および右ボタン機能領域（Ｃ）を押圧された状態で、他の２ポイント目の領域を押圧されたときの感圧式タブレット１上の座標データを、コンピュータ本体８に伝送するための座標データフォーマット例である。この例では、座標データは４バイトで構成され、いずれの機能領域が押圧されたかを識別するための情報を含んでいる。
【００４４】
この座標フォーマットによれば、通知される座標がダブルクリックに該当する機能または右ボタンに該当する機能のいずれかに該当する座標であるか、またはいずれにも該当しない単なる座標であるかを、座標データのみで判別可能となっている。
【００４５】
これを受け取ったコンピュータ本体８は、それがダブルクリックに該当する動作を要求するものか、右ボタン押圧に該当する動作を要求するものかを判別し、要求された動作を実行する。この実行する時期は、機能領域を押圧された後の２ポイント目の座標（Ｘｂ，Ｙｂ）が押圧されたときか、多重入力が無くなったときかのいずれでもよい。後述するフローチャート（図２および図３）では、押圧が解除されたとき、すなわち、指またはペンが感圧式タブレット１上から離れたときに、（Ｘｂ，Ｙｂ）の座標をコンピュータ本体８に伝送する場合について記述している。ただし、図５に示す座標フォーマットによらなくても、先にコンピュータ本体８にダブルクリック機能領域（Ａ）または右ボタン機能領域（Ｃ）が押圧されていることを通知していれば、伝送するデータが座標データのみでもコンピュータ本体８にて所望の機能を実現することは可能である。
【００４６】
ところで、図１１および図１２を用いて従来技術のところで手つきについて説明しているが、この手つきは、手の平と指またはペン先とで同時に感圧式タブレット１上を押圧することである。この場合、この多重入力した２点間の距離は、通常ある一定の値の範囲に収まる。従って、これを踏まえて、あらかじめダブルクリック機能領域（Ａ）および右ボタン機能領域（Ｃ）をアイコンから離れた領域に設定し、その距離の最大値（Ｌ１）をタブレット制御マイコン６に設定する。具体的には、ＲＡＭ６３に設定された値（Ｌ１）を記憶する。この設定は、コンピュータ本体８からタブレット制御マイコン６に伝送しておくことも可能である。この設定された最大値（Ｌ１）と、タブレット制御マイコン６が算出した２点入力の際の２点間の距離（Ｌ２）とを比較し、Ｌ２＜Ｌ１であれば手つきと判定する。そして、ＬＥＤ６４の点灯（点滅等）による警告表示、スピーカ６５からの警告音の出力、表示装置２の画面上への警告表示などの手法で、オペレータに対し、手つきを明示する。
【００４７】
次に、上記構成の座標入力装置を用いた感圧式タブレット一体型機器において、タブレット制御マイコン６がマウスのダブルクリック機能領域（Ａ）および右ボタン機能領域（Ｃ）を判定する場合の処理手順について、図２および図３に示すフローチャートを参照して説明する。このフローチャートは、ダブルクリック機能領域（Ａ）または右ボタン機能領域（Ｃ）を押圧された後、引き続き、所望の領域（アイコン）（Ｂ）を指またはペンにて押圧した場合に、マウスのダブルクリック動作に該当するデータまたはマウスの右ボタンクリック動作に該当するデータをコンピュータ本体８に伝送するまでを示している。
【００４８】
タブレット制御マイコン６は、感圧式タブレット１の上を押圧されたかどうかを常に監視している（ステップＳ１）。そして、感圧式タブレット１上に押圧があると、すでに説明した座標検出手段を用いて座標（Ｘａ，Ｙａ）を算出し（ステップＳ２）、算出した座標をＲＡＭ６３に一旦記憶する（ステップＳ３）。この後、感圧式タブレット１に対する押圧がなくなれば（ステップＳ４でＮｏと判断されると）、押圧されていた座標（Ｘａ，Ｙａ）をコンピュータ本体８へ送出する（ステップＳ５）。
【００４９】
一方、ステップＳ４において、座標（Ｘａ，Ｙａ）の押圧が継続されていれば（ステップＳ４でＹｅｓと判断されれば）、再度座標を算出し（ステップＳ６）、算出した新しい座標をＲＡＭ６３に一旦記憶する（ステップＳ７）。このように、押圧が継続されているときに再度座標を算出するのは、感圧式タブレット１では押圧されなければ座標が検出されないためである。つまり、押圧したまま指またはペンを移動させた場合には、押圧されたまま座標が変化することがあるからである。
【００５０】
そして、ＲＡＭ６３に記憶された座標、すなわち押圧されたポイントがダブルクリック機能領域（Ａ）または右ボタン機能領域（Ｃ）のいずれかに属していないかを、座標データを比較して確認する（ステップＳ８）。ここで、ダブルクリック機能領域（Ａ）または右ボタン機能領域（Ｃ）のいずれにも属さない場合には、次にステップＳ９へと動作を進め、電流モニタ７にてモニタされた電流値をＣＰＵ６１がチェックし、この電流値と１ポイント入力時の電流値とを比較することで、２点入力の発生がないかを確認する（ステップＳ１０）。２点入力の発生がなければステップＳ４に戻って、感圧式タブレット１の押圧が継続しているか否かを確認する。一方、２点入力が発生していれば、ステップＳ１１において、ＬＥＤ６４の点灯（点滅等）による警告表示、スピーカ６５からの警告音の出力、表示装置２の画面上への警告表示などを行って、オペレータに対し警告を発する。
【００５１】
一方、ステップＳ８において、最初に押圧されたポイントがダブルクリック機能領域（Ａ）または右ボタン機能領域（Ｃ）のいずれかに属していた場合（ステップＳ８でＹｅｓと判断された場合）、ＣＰＵ６１は多重入力の有無を電流モニタ７による電流値をチェックすることで確認する（ステップＳ１２，Ｓ１３）。そして、多重入力が発生していない場合には、ステップＳ４に戻って、感圧式タブレット１の押圧が継続しているか否かを確認する。これにより、ＲＡＭ６３内に記憶された１ポイントのみ押圧されているときの座標データは常に最新の値に更新されていくことになる。
【００５２】
一方、ステップＳ１３において多重入力（２点入力）が発生していれば（Ｙｅｓと判断されれば）、その２点入力を発生した２点目の座標（Ｘｂ，Ｙｂ）を算出し（ステップＳ１４）、ＲＡＭ６３に一旦記憶する（ステップＳ１５）。このとき、算出した座標は、２点入力発生直前の１ポイントのみ押圧されているときのＲＡＭ６３に記憶されている座標（Ｘａ，Ｙａ）のデータとは異なるアドレスに一旦記憶する。この座標算出の方法は、従来の技術で説明した方法を用いるのが１つの方法ではあるが、これに限定されるものではない。
【００５３】
次に、１点目の座標（Ｘａ，Ｙａ）と２点目の座標（Ｘｂ，Ｙｂ）との距離（この距離をＬ２とする）を算出する（ステップＳ１６）。そして、この距離Ｌ２と、あらかじめ記憶されている距離の最大値Ｌ１とを比較する（ステップＳ１７）。その結果、Ｌ２がＬ１より小さく、Ｌ２≦Ｌ１であれば（ステップＳ１７でＮｏと判断されれば）、手つきの発生と判断し、ＬＥＤ６４の点灯（点滅等）による警告表示、スピーカ６５からの警告音の出力、表示装置２の画面上への警告表示などを行って、オペレータに対し警告を発する（ステップＳ１８）。この後、電流モニタ７にて電流値を再度確認する（ステップＳ１９）。そして、電流値を再度確認することで、手つき状態が継続しているかを確認し（ステップＳ２０）、手つき状態が継続している間は（ステップＳ２０でＹｅｓと判断されれば）、ステップＳ１８に戻って、オペレータへの警告を継続する。一方、手つき状態が解除されていれば、指またはペンでの感圧式タブレット１上への押圧が継続しているかを確認する（ステップＳ２１）。そして、ここでも押圧が解除されるまで、ステップＳ１８に戻って、オペレータへの警告を継続する。
【００５４】
一方、ステップＳ１７において、手つきではなく、ダブルクリック機能領域（Ａ）または右ボタン機能領域（Ｃ）を押圧した状態で例えば他のアイコンを押圧したことが判定されれば（ステップＳ１７でＹｅｓと判定されれば）、ステップＳ２２およびステップＳ２３へと動作を進め、電流モニタ７にて電流値をチェックして、再度、多重入力の状態が継続しているかを確認する。その結果、多重入力の状態が継続していれば、ステップＳ１４に戻って、２点目の座標算出を行う。このような処理を行うのは、前述したように、感圧式タブレット１では押圧されなければ座標が検出されないため、押圧したまま指またはペンを移動させ、所望のアイコン等の領域にカーソルを移動させ、所望のアイコン等の領域で押圧を解除することで、その領域の機能を実行するという理由による。
【００５５】
一方、ステップＳ２３にて多重入力が解除されていれば（ステップＳ２３でＮｏと判断されれば）、次に感圧式タブレット１上の押圧の継続を確認する（ステップＳ２４）。そして、押圧が継続していれば（ステップＳ２４でＹｅｓと判断されれば）、１ポイントは押圧されているということなので、その座標を算出し（ステップＳ２５）、ダブルクリック機能領域（Ａ）または右ボタン機能領域（Ｃ）のものであるかどうかを確認する（ステップＳ２６）。その結果、ダブルクリック機能領域（Ａ）または右ボタン機能領域（Ｃ）である場合には、この領域を押圧し続けた状態で異なった２ポイント目を押圧した際に、新たな多重入力として処理実行するために、それ以前の２点入力に該当する処理を先に実行する。
【００５６】
一方、ステップＳ２６において、ダブルクリック機能領域（Ａ）または右ボタン機能領域（Ｃ）の押圧でないと判断（Ｎｏと判断）されれば、先の２点目のポイントが押圧継続していることなので、この押圧が解除されるまで待つ（ステップＳ２７）。そして、この押圧が解除されると、ステップＳ２８へと動作を進め、ステップＳ１５ですでに記憶されている２ポイント目の座標で実行すべき機能の実行制御に移る。
【００５７】
また、ステップＳ２４において感圧式タブレット１上での押圧が解除されている場合（Ｎｏと判断された場合）、およびステップＳ２６において押圧が継続している領域がダブルクリック機能領域（Ａ）または右ボタン機能領域（Ｃ）であった場合（Ｙｅｓと判断された場合）にも、ステップＳ２８へと動作を進め、ステップＳ１５ですでに記憶されている２ポイント目の座標で実行すべき機能の実行制御に移る。すなわち、２点入力に該当する機能を実行する座標データをコンピュータ本体８に送出するための制御に移行する。
【００５８】
具体的には、まずダブルクリック機能領域（Ａ）または右ボタン機能領域（Ｃ）のいずれの機能領域が押圧されているかを判定し（ステップＳ２８，Ｓ２９）、ダブルクリック機能領域（Ａ）であれば（ステップＳ２９でＹｅｓと判断されれば）、最終的にＲＡＭ６３に記憶されている２点目の座標（Ｘｂ，Ｙｂ）を図５の例で示すダブルクリックフォーマットに沿ったデータフォーマットに作成し（ステップＳ３０）、コンピュータ本体８へそのデータを伝送する（ステップＳ５）。一方、押圧された機能領域が右ボタン機能領域（Ｃ）であった場合にも同様に、２点目の座標（Ｘｂ，Ｙｂ）を右ボタンクリックフォーマットに沿ったデータフォーマットに作成し（ステップＳ３１）、コンピュータ本体８へそのデータを伝送する（ステップＳ５）。
【００５９】
以上で判定処理手順の説明を終了し、次に、ダブルクリック機能領域（Ａ）および右ボタン機能領域（Ｃ）を設定する方式について説明する。ここでは、ダブルクリック機能領域（Ａ）を設定する場合を例に挙げて説明する。設定方法に関しては、ダブルクリック機能領域（Ａ）も右ボタン機能領域（Ｃ）も同じである。
【００６０】
図６は、ダブルクリック機能領域（Ａ）を設定する際の画面例を示している。すなわち、ＯＳ（オペレーティングシステム）上でオペレータにダブルクリック機能領域を設定するように指示する。この領域は、本例では四角形としているが、もちろん円形でも、他の形状等でもかまわない。
【００６１】
最初にオペレータが指またはペンを置いたポイントを起点に、その指またはペンでドラッグして指定した領域が、ダブルクリック機能領域（Ａ）としてコンピュータ本体８に認知される。このとき、タブレット制御マイコン６は、それが機能領域の設定であると認識する必要はなく、単に指またはペンで指定された座標をコンピュータ本体８に転送するだけである。
【００６２】
コンピュータ本体８で認知された機能領域は、コンピュータ本体８で４ポイントの座標（Ｘ１，Ｙ１）、（Ｘ２，Ｙ２）、（Ｘ３，Ｙ３）、（Ｘ４，Ｙ４）として記憶される。コンピュータ本体８は、領域が４角形の場合は対角に位置する（Ｘ１，Ｙ１）および（Ｘ３，Ｙ３）の座標データをダブルクリック機能領域（Ａ）の範囲として、タブレット制御マイコン６に伝送する。タブレット制御マイコン６は、この伝送された座標データを記憶する。具体的には、ＲＡＭ６３に記憶する。タブレット制御マイコン６は、ＲＡＭ６３に記憶された座標データを元に前述のダブルクリック機能領域（Ａ）として使用する。右ボタン機能領域（Ｃ）の設定に関しても同様である。
【００６３】
ただし、設定に関しては以下の制限が発生する。すなわち、ダブルクリック機能領域（Ａ）と右ボタン機能領域（Ｃ）とは重ならないように設定する必要がある。また、これらの領域は、手つきによる誤入力を防止するため、アイコン等の機能領域とは十分離れた距離の領域に設定する必要がある。具体的には、上記の距離Ｌ１より離れた位置に設定する。
【００６４】
【発明の効果】
以上説明したように、本発明によれば、入力面上に対するペンまたは指による押圧入力、並びに、入力面上の入力座標を検出する座標検出手段と、入力画面上に第１の操作機能を定義した第１領域、第２の操作機能を定義した第２領域、および、アイコン等の操作子を定義した第３領域を設定する画面設定手段と、前記座標検出手段による検出にて、前記入力画面上の第１領域または第２領域に対する押圧入力と第３領域に対する押圧入力とを同時に検出した時、第１領域と同時検出の場合は第１の操作機能を第３表示領域に対して実行し、第２領域と同時検出の場合は第２の操作機能を第３表示領域に対して実行する制御手段とを備えた構成としたので、機構的な追加物を設けることなく、かつ画面上に専用の例えばダブルクリック機能領域や右ボタン機能領域など特別なアイコンを表示するなどしてアプリケーションソフトに制約を設けるといったこともなく、タブレット上を指またはペンで１回操作するだけで、マウスのダブルクリックまたは右ボタンクリックに相当する機能を実現することができる。そのため、初心者には操作が困難であった指またはペンによるマウスのダブルクリックに対応する操作も容易に実現することができる。
【００６７】
また、本発明の座標入力装置によれば、タブレット上の第１領域および第２領域が任意に定義可能に設けた構成としている。これにより、マウスの右ボタン機能またはマウスのダブルクリック機能の実現すべき機能領域をユーザが任意に設定できるので、他の機能アイコンと領域が重なった場合でもこれに対応することができるとともに、ユーザが操作しやすい領域に機能領域を自由に設定することができる。
【図面の簡単な説明】
【図１】本発明の座標入力装置を適用した感圧式のタブレット一体型機器の概略ブロック図である。
【図２】ダブルクリック機能領域および右ボタン機能領域を判定する場合の処理手順を示すフローチャートである。
【図３】ダブルクリック機能領域および右ボタン機能領域を判定する場合の処理手順を示すフローチャートである。
【図４】ダブルクリック機能領域および右ボタン機能領域を設けた画面の表示例を示す説明図である。
【図５】タブレット制御マイコンからコンピュータ本体に伝送するための座標データフォーマット例を示す説明図である。
【図６】ダブルクリック機能領域を設定する際の画面例を示す説明図である。
【図７】感圧式タブレットを接続した座標検出装置のブロック図である。
【図８】感圧式タブレットの断面図である。
【図９】Ｐ点で接触した場合の抵抗膜の概念を示す説明図である。
【図１０】座標検出の際の概念図である。
【図１１】２ポイントＰ１，Ｐ２を同時に押した場合の２つの抵抗膜シートの状態を示す概略断面図である。
【図１２】Ｐ１，Ｐ２の２ポイントで接触した場合の抵抗膜の概念である。
【符号の説明】
１  感圧式タブレット
２  表示装置
３  パネル出力切換器
４  Ａ／Ｄ変換器
６  タブレット制御マイコン
７  電流モニタ
８  コンピュータ本体
（Ａ）  ダブルクリック機能領域（第１領域）
（Ｂ）  アイコン（第３領域）
（Ｃ）  右ボタン機能領域（第２領域）
【図１】
0004540787.tif 000002
【図２】
0004540787.tif 000003
【図３】
0004540787.tif 000004
【図４】
0004540787.tif 000005
【図５】
0004540787.tif 000006
【図６】
0004540787.tif 000007
【図７】
0004540787.tif 000008
【図８】
0004540787.tif 000009
【図９】
0004540787.tif 000010
【図１０】
0004540787.tif 000011
【図１１】
0004540787.tif 000012
【図１２】
0004540787.tif 000013